(57)【要約】【課題】少なくとも施設の利用者又は施設の管理者に対して、使い勝手の良い衣類取扱システムを提供する。【解決手段】衣類取扱システムは、複数の少なくとも衣類の乾燥又は洗濯が可能なコインランドリマシンＭを有し、主コインランドリマシンＭＡは、衣類の投入取出をする表面Ｆと、表面Ｆの反対側の裏面Ｕと、表面Ｆの左側に連接された左面Ｌと、表面Ｕの右側に連接される右面Ｒとを有し、コインランドリマシンＭの少なくとも半数以上は、右面Ｒ又は左面Ｌの衣類の表面Ｆ側において、隣接コインランドリマシンＭＢの右面Ｒ又は左面Ｌの衣類の表面Ｆ側と、第１距離Ａで配置され、右面Ｒは左面Ｌの裏面Ｕ側において、隣接コインランドリマシンＭＢの右面Ｒは左面Ｌの裏面Ｕ側と、第２距離Ｂで配置され、第１距離Ａと第２距離Ｂでは、第２距離Ｂの方が大きく形成されている。【選択図】図１
2020039474.tif 000002
【特許請求の範囲】
【請求項１】
複数の少なくとも衣類の乾燥又は洗濯が可能な衣類取扱機械を有し、
前記衣類取扱機械は、衣類の投入取出をする表面と、前記表面の反対側の裏面と、前記表面の左側に連接された左面と、前記表面の右側に連接される右面とを有し、
複数の前記衣類取扱機械の少なくとも半数以上は、
前記右面又は前記左面の衣類の表面側において、隣接する衣類取扱機の前記右面又は前記左面の表面側と、第１距離で配置され、
前記右面又は前記左面の衣類の裏面側において、隣接する衣類取扱機の前記右面又は前記左面の裏面側と、第２距離で配置され、
前記第１距離と前記第２距離では、前記第２距離の方が大きく形成されている
衣類取扱システム。
【請求項２】
複数の前記衣類取扱機械は、上方から見て円又は楕円形状に配置されている
請求項１に記載の衣類取扱システム。
【請求項３】
前記円又は楕円の中心位置には、前記衣類取扱機械が取り扱う衣類に対してユーザが作業するための各種の器具が配置されている
請求項２に記載の衣類取扱システム。
【請求項４】
前記衣類取扱機械に対してユーザが各種の操作をするために必要な操作機械を有し、
前記操作機械も、前記衣類取扱機械の間に上方から見て円又は楕円形状に配置されている
請求項３に記載の衣類取扱システム。
【請求項５】
並べられた複数の前記衣類取扱機械の端部には、前記衣類取扱機械の前記裏面側に移動できないように形成された仕切壁が配置される
請求項４に記載の衣類取扱システム。
【請求項６】
前記衣類取扱機械はコインランドリ機械である
請求項５に記載の衣類取扱システム。
【発明の詳細な説明】
【技術分野】
【０００１】
本発明は、衣類取扱システムに関する。より具体的な一例では、コインランドリシステムに関する。
【背景技術】
【０００２】
特許文献１には、コインランドリについての配置に関する技術が開示されている。
【先行技術文献】
【特許文献】
【０００３】
【特許文献１】特開２００５―４２５４４号公報
【発明の概要】
【発明が解決しようとする課題】
【０００４】
少なくとも施設の利用者又は施設の管理者に対して、使い勝手の良い衣類取扱システムが要望されている。
【課題を解決するための手段】
【０００５】
本発明の第１の観点における衣類取扱システムは、複数の少なくとも衣類の乾燥又は洗濯が可能な衣類取扱機械を有し、前記衣類取扱機械は、衣類の投入取出をする表面と、前記表面の反対側の裏面と、前記表面の左側に連接された左面と、前記表面の右側に連接される右面とを有し、複数の前記衣類取扱機械の少なくとも半数以上は、前記右面又は前記左面の衣類の表面側において、隣接する衣類取扱機の前記右面又は前記左面の表面側と、第１距離で配置され、前記右面又は前記左面の衣類の裏面側において、隣接する衣類取扱機の前記右面又は前記左面の裏面側と、第２距離で配置され、前記第１距離と前記第２距離では、前記第２距離の方が大きく形成されている。
【０００６】
好適には、複数の前記衣類取扱機械は、上方から見て円又は楕円形状に配置されている。
【０００７】
好適には、前記円又は楕円の中心位置には、前記衣類取扱機械が取り扱う衣類に対してユーザが作業するための各種の器具が配置されている。
【０００８】
好適には、前記衣類取扱機械に対してユーザが各種の操作をするために必要な操作機械を有し、前記操作機械も、前記衣類取扱機械の間に上方から見て円又は楕円形状に配置されている。
【０００９】
好適には、並べられた複数の前記衣類取扱機械の端部には、前記衣類取扱機械の前記裏面側に移動できないように形成された仕切壁が配置される。
【００１０】
好適には、前記衣類取扱機械はコインランドリ機械である。
【発明の効果】
【００１１】
本発明における衣類取扱システムよって、少なくとも施設の利用者又は施設の管理者に対して、使い勝手をよくすることが可能となった。
【図面の簡単な説明】
【００１２】
【図１】本発明の第１の実施形態に係るコインランドリの配置を示す説明図である。
【図２】個々のコインランドリマシンの配置の説明図である。
【発明を実施するための形態】
【００１３】
＜第１の実施形態＞
図１は、本発明の第１の実施形態に係るコインランドリ１０１の配置を示す説明図である。
【００１４】
コインランドリ１０１（衣類取扱システム）は、図１のように、衣類取扱機械１を複数個配置されている。
衣類取扱機械１の一例が、コインランドリマシンＭである。
コインランドリマシンＭは、少なくとも乾燥又は洗濯のいずれかは可能な機械である。もちろん、洗濯と乾燥の両方ができる機会も含まれる。
コインランドリマシンＭは、通常、施設の利用者（ユーザ）の洗濯等（乾燥等を含む）の用途や、量（大きさ、重さ）などに対応するために大きさや洗濯機能（温水洗濯、乾燥のみ、洗濯のみ、フトン用、シューズ用等）に応じて複数の種類が配置されている。
第１の実施形態においては、第１コインランドリマシンＭ２、第２コインランドマシン３、第３コインランドリマシンＭ４、第４コインランドリマシンＭ５が配置されている。
更に、図１の様に大きな店舗であれば、さらに、同じ種類のコインランドリマシンＭであっても複数個用意されているのが普通である。
第１コインランドリマシンＭ２、第２コインランドマシン３、第３コインランドリマシンＭ４、第４コインランドリマシンＭ５は、第１コインランドリマシンＭ２から順に小さな機械となっている。
【００１５】
衣類取扱機械１の他の一例が、これらのコインランドリマシンＭを操作に必要な各機械である。
例えば、プリペイドカードマシン７、コインランドリ集中管理マシン６である。
プリペイドカードマシン７は、コインランドリ集中管理マシン６を動かすためのプリペイドカードを販売する機械である。
具体的には、ユーザが金銭（紙幣）を投入して、一定額に該当するプリペイドカードを発行する。もちろん、既にユーザが持っているプリペイドマシンに、課金した分のポイントを付与する形式でもよい。
【００１６】
コインランドリ集中管理マシン６は、コインランドリにおいて必須ではない。例えば、従来どおり、コインランドリマシンＭに直接、お金の課金システム・運転管理システムがあってもよい、
しかし、より好ましくは、図１の様に、コインランドリ集中管理マシン６があった方が好適である。
その理由は、現金を取り扱うため、贋金、悪戯、窃盗、故障などが考えられ、出来るだけ高度（＝高価）なものが適切である。しかしながら、その様なものをコインランドリマシンＭに全てつけることはコスト的にもスペース的にも適切ではないからである。
また、集金の際も、全てのコインランドリマシンＭを集金して回ることは労力が大きいからである。
その為、今後は、図１のようなコインランドリ集中管理マシン６による方式が増えるものと予想される。
【００１７】
コインランドリ集中管理マシン６は、プリペイドカードを差入又は現金を投入することが可能となっている。もちろん、他の方法によって、支払いをすることも可能である。
コインランドリ集中管理マシン６は、ユーザが使用したいコインランドリマシンＭを選択して、これを運転させることができる装置である。
このコインランドリ集中管理マシン６は、更に運転コースなどを選択することができても良い。
【００１８】
コインランドリ１０１では、衣類取扱機械１だけではユーザに不便である。
例えば、衣類をユーザの手で折り畳んだりするための場所があると好適である。
特に、布団などの大型の衣類（本発明において、衣類には布団などの寝具を含む）をも洗濯等するには、特にその大型の衣類（布団）を折り畳んだりするための場所があると、より好適である。
そのような場所として、作業場１０が用意されている。
この作業場１０には、ユーザが作業するための各種の器具が配置される。
この各種の器具としては、例えば、作業テーブル８が該当する。作業テーブル８は複数のユーザが同時に作業するため、又は、使用した・使用しようとするコインランドリマシンＭからできるだけ近い作業テーブル８を利用できるように、複数配置されることが望ましい。
コの字型に並べられた作業テーブル８の中央位置に観葉植物などを配置される。
これによって、作業テーブル８で作業しているユーザ間での目隠しの役割も果たす。
【００１９】
コインランドリ１０１は、入口１０２（透明なガラスで形成された左右に開く自動ドア）を有している。
また、ユーザがコインランドリマシンＭの動作が完了するまで待つための、カウンターテーブル１０３と、椅子１０４が配置されることが好適である。
カウンターテーブル１０３と、椅子１０４は、ユーザがコインランドリ１０１内にとどまってもらい、コインランドリマシンＭの動作が完了したすぐ後に衣類等を取りだしてもらうことが、回転率の向上のためにとても大事である。
その為、カウンターテーブル１０３と、椅子１０４があることは、効率的なシステムの運用という観点では、とても重要である。
【００２０】
作業テーブル８の入口１０２側には、壁１０９が配置される。
この壁は、入口のよりも少し幅が大きく、入口１０２と並行に配置されることが好適である。
この壁１０９は、ユーザが作業テーブル８で作業する際に、コインランドリ１０１の外から入口１０２越しに、ユーザがみられることを防止する役割を有している。
衣類の中には、見られたくない衣類も存在するからである。また、ユーザの中にはコインランドリ１０１にいること自体を見られたくないと考えるユーザもいるからである。
この壁１０９の入り口とは反対側に作業場１０が配置される。
【００２１】
壁１０９の入口１０２側には、大型ディスプレイ１０８が配置されている。
この大型ディスプレイ１０８によって、入口１０２が透明なことから外への宣伝広告をすることも可能である。もちろん、ユーザに対する各種の告知などもここですることが可能である。
【００２２】
コインランドリ１０１は、衣類取扱機械１、第１仕切壁１１ａ、第２仕切壁１１ｂ、中央仕切壁１３で、ユーザ側空間１０５と管理空間１０７とが仕切られている。
この中央仕切壁１３は、後述する円又は楕円形状の機械壁１５の一部を形成している。
そして、中央仕切壁１３部分に、プリペイドカードマシン７、コインランドリ集中管理マシン６が配置されている。
また、第１仕切壁１１ａ、第２仕切壁１１ｂ（以下、平行壁と総称する）は、コインランドリ１０１に本来の壁（形状）に平行に形成されている。
換言すると、円又は楕円を形成する機械壁１５と、平行壁でユーザ側空間１０５と管理空間１０７とが仕切られている。
ユーザ側空間１０５と管理空間１０７とを行き来するためのドアがドア１２である。
【００２３】
第１仕切壁１１ａ及び第２仕切壁１１ｂが設けられている効果を説明する。
この壁が無ければ、端部のコインランドリマシンＭの後ろ側に管理者がアプローチすることが難しくなる。つまり、その場合、コインランドリマシンＭの側面を壁の様に使うしかなくなり、コインランドリマシンＭの裏面Ｕをコインランドリ１０１の壁に近接しておくことになる。
その場合、コインランドリマシンＭの裏面Ｕと壁とが近くなって、管理者が知被けなくなってしまう。
そういった意味で、この第１仕切壁１１ａ及び第２仕切壁１１ｂは重要である。
【００２４】
ユーザ側空間１０５は、ユーザがある程度自由に移動したりするための空間である。
他方、管理空間１０７は、コインランドリ１０１の管理者等が出入りする空間である。
この管理空間１０７を利用して、コインランドリマシンＭ等のメンテナンスなどがなされる。
【００２５】
機械壁１５は、各コインランドリマシンＭの表面Ｆ（図２も参照のこと）を連続して隙間を少なくして並べることによって形成される。
この機械壁１５の形が上方からみて、円又は楕円形状に配置されることが、本実施形態の重要なポイントの一つである。
ここで、楕円又は円は、直線であるコインランドリマシンＭの表面Ｆを利用しているので、数学的な円や楕円ではない。つまり実態は、円又は楕円に近い何角形的な形状である。
また、同じように円や楕円完全な円や楕円である必要はなく、略円又は略楕円であれば足りる。
【００２６】
このように、機械壁１５（コインランドリマシンＭや、コインランドリ集中管理マシン６等）が、略円又は略楕円上に位置させたことから以下のような利点がある。
管理空間１０７において、２隅部分に比較的大きな空間を取ることができ、管理のため管理者のための各種の作業、休憩、物置の為の空間を違和感なく作り出すことができる。
また、コインランドリマシンＭが緩やかに位置を変えていることから、コインランドリマシンＭに空気を供給するためのダクトに９０度大きく曲げる部分が生じず、空気の流れを良くすることができる。
つまり、四角形であることが多いコインランドリ１０１の壁の形状に合わせた場合、３辺（又は、２辺）に直角を作りながら、複数のコインランドリマシンＭをはいちすることになる。この場合、ダクトも直角になってしまうため、空気の流れを阻害する。それに対して、本実施形態の配置の場合、ダクトは徐々に曲がっていくことになるので、その様な流れの阻害が生じづらい。ある。
【００２７】
ユーザ側から見ると以下の利点がある。
コインランドリ集中管理マシン６を操作する際には、自分が使いたいコインランドリマシンＭを特定する必要がある。
その際には、コインランドリマシンＭを黙視することが最も安全である。記憶に頼るなどでは、誤ったコインランドリマシンＭを選んでしまう可能性が有る。
見えていても、横からでは、良く見えない可能性が有る。
直線状に並んだコインランドリマシンＭの場合は、遠くのコインランドリマシンＭの表面Ｆは、角度の問題から良く見えないことになる。
さらに場合によっては、コインランドリマシンＭの洗濯槽内に入れた自身の洗濯物を頼りに入力する可能性もある。
その場合には、直線状に並んだコインランドリマシンＭのときには、遠くのコインランドリマシンＭの洗濯槽内を見ることは極めて困難である。
それに対して、このような配置の場合、遠くであっても比較的見やすく、このような作業がしやすい。
以上から、本実施形態のコインランドリシステム（コインランドリマシンＭの配置）では、単なる、設計的事項を超えた極めて有利な効果を発揮している。
【００２８】
なお、コインランドリ集中管理マシン６は、図１では、機械壁１５を構成していたが、略円又は略楕円を構成せず、中心付近（作業場１０）の位置にあることも可能である。
こちらの方が、よりユーザはコインランドリマシンＭを識別しやすいからである。
ただし、この場合、配線等に工夫が必要となる。
【００２９】
また、このような略円又は略楕円の形状に並べることの利点は、コインランドリマシンＭの台数が増減した場合でも、円又は楕円の半径を大きくしたり小さくしたりするだけで、きれいに並べることが可能となる。
つまり、直線に並べた場合、１台でも減ってしまった場合には、歯抜けの様になってしまうが、その様な違和感なく並べることができる。
その結果、後からの台数の増減、故障による一時撤去に比較的ユーザに目立たずレイアウト変更できるということになる。
特に、開業当初は、採算性が読めないため少ない台数で営業を開始して、徐々に増やしていくというようなニーズに対応することができる。
【００３０】
機械壁１５が形成する略円又は略楕円の中心付近には、作業場１０が配置されている。
このような配置としていることから、ユーザは取り出した衣類等をどこからでも等距離で作業テーブル８に運ぶことが可能となる。投入時も同様である。
【００３１】
図２は、個々のコインランドリマシンＭの配置の説明図である。
【００３２】
複数のコインランドリマシンＭが配置されているが、そのうちの２台について特に抽出して説明する。
主コインランドリマシンＭＡと、その左側に並ぶ隣接コインランドリマシンＭＢについて説明する。
前述までは、略円又は略楕円と記載してきたが、より詳しく説明する。
【００３３】
主コインランドリマシンＭＡは、ユーザ側空間１０５に面した表面Ｆと、それの反対側の裏面Ｕ、コインランドリマシンＭの右側の右面Ｒ、コインランドリマシンＭの左側の左面Ｌとをそれぞれ有している。なお、隣接コインランドリマシンＭＢ全てのコインランドリマシンＭも同じである。
主コインランドリマシンＭＡの表面Ｆと左面Ｌの接点を第１点ＦＬ１とする。
同様に、主コインランドリマシンＭＡの裏面Ｕと左面Ｌの接点を第２点ＢＬ１とする。
隣接コインランドリマシンＭＢの表面Ｆと右面Ｒの接点を第３点ＦＲ２とする。
同様に、隣接コインランドリマシンＭＢの裏面Ｕと右面Ｒの接点を第４点ＢＲ２とする。
この場合に、第１点ＦＬ１と第３点ＦＲ２との間の第１距離Ａが、第２点ＢＬ１と第４点ＢＲ２の第２距離Ｂが、Ｂ＜Ａとなる様に配置する。
最も、複数あるコインランドリマシンＭ間の距離が全て、Ｂ＜Ａである必要はなく、Ｂ＝Ａとの関係の物が存在しても良い。
その場合であっても、略円又は略楕円といえる範囲で配置できるからである。
【００３４】
つまり、換言すると本実施形態のコインランドリマシンＭの配置は、コインランドリ１０１の店舗のｎ形状（通常はｎ＝４の四角形）よりも、大きなｎ＋１角形形状にコインランドリマシンＭを並べることが最上位の表現となる。
【００３５】
このような形状を有していることから、コインランドリマシンＭの側面（右面Ｒ、左面Ｌ）にも、管理空間１０７から侵入することも可能になる。これによって、コインランドリマシンＭを側面からのメンテナンスも可能となる。
【００３６】
＜実施形態の構成及び効果＞
衣類取扱システムは、複数の少なくとも衣類の乾燥又は洗濯が可能なコインランドリマシンＭを有し、主コインランドリマシンＭＡは、衣類の投入取出をする表面Ｆと、表面Ｆの反対側の裏面Ｕと、表面Ｆの左側に連接された左面Ｌと、表面Ｕの右側に連接される右面Ｒとを有し、コインランドリマシンＭの少なくとも半数以上は、右面Ｒ又は左面Ｌの衣類の表面Ｆ側において、隣接コインランドリマシンＭＢの右面Ｒ又は左面Ｌの衣類の表面Ｆ側と、第１距離Ａで配置され、右面Ｒは左面Ｌの裏面Ｕ側において、隣接コインランドリマシンＭＢの右面Ｒは左面Ｌの裏面Ｕ側と、第２距離Ｂで配置され、第１距離Ａと第２距離Ｂでは、第２距離Ｂの方が大きく形成されている。
このような構成を有することから、少なくとも施設の利用者又は施設の管理者に対して、使い勝手をよくすることが可能となった。
【００３７】
好適には、複数のコインランドリマシンＭは、上方から見て円又は楕円形状に配置されている。
このような構成を有することから、少なくとも施設の利用者又は施設の管理者に対して、使い勝手をよくすることが可能となった。
【００３８】
好適には、円又は楕円の中心位置には、コインランドリマシンＭが取り扱う衣類に対してユーザが作業するための各種の器具（作業テーブル８）が配置されている。
このような構成を有することから、施設の利用者が衣類等をたたむなどの作業がしやすくなった。
【００３９】
好適には、コインランドリマシンＭに対してユーザが各種の操作をするために必要なコインランドリ集中管理マシン６を有し、コインランドリ集中管理マシン６も、コインランドリマシンＭの間に上方から見て円又は楕円形状に配置されている。
このような構成を有することから、コインランドリ集中管理マシン６の操作時にコインランドリマシンＭをしっかりと施設の利用者が認識することが可能となった。
【００４０】
好適には、並べられた複数のコインランドリマシンＭの端部には、コインランドリマシンＭの裏面Ｕ側に移動できないように形成された第１仕切壁１１ａ、第２仕切壁１１ｂが配置される。
このような構成を有することから、管理者が端部のコインランドリマシンＭの裏面Ｕにも確実にアプローチすることが可能となった。
【００４１】
本発明の、構造、システム、プログラム、材料、各部材の連結、科学物質、などは、本発明の要旨を変更しない範囲で、様々に変更可能である。
材質も、金属、プラスチック、ＦＲＰ、木材、コンクリート等を自由に選択することが可能である。
例えば、２つ以上の部材を１つにすることも可能であるし、逆に、１つの部材を２つ以上の別の部材から構成して接続することも可能である。
また、上記実施形態は、あくまでも、現在のところの最良の形態の１つにすぎない。
また、制御などは、より上位の制御部分によって制御されても良いし、より末端の制御部分によって制御されても良い。
また、制御の順序なども、所定の効果を有するのであれば、適宜変更可能である。
【００４２】
＜定義等＞
本発明における操作機械の一例が、コインランドリ集中管理マシン６である。
本発明における円又は楕円は、完全な楕円を意味せず、楕円型又は円型といえる範囲であればよい。さらに多角形であって良い。
本発明の衣類には、布団、シーツ等の寝具も含む。
【符号の説明】
【００４３】
１          ：衣類取扱機械
３          ：第２コインランドマシン
６          ：コインランドリ集中管理マシン
７          ：プリペイドカードマシン
８          ：作業テーブル
１０        ：作業場
１１ａ      ：第１仕切壁
１１ｂ      ：第２仕切壁
１２        ：ドア
１３        ：中央仕切壁
１５        ：機械壁
１０１      ：コインランドリ
１０２      ：入口
１０３      ：カウンターテーブル
１０４      ：椅子
１０５      ：ユーザ側空間
１０７      ：管理空間
１０８      ：大型ディスプレイ
１０９      ：壁
Ａ          ：第１距離
Ｂ          ：第２距離
ＢＬ１      ：第２点
ＢＲ２      ：第４
ＢＲ２      ：第４点
Ｆ          ：表面
ＦＬ１      ：第１点
ＦＲ２      ：第３点
Ｌ          ：左面
Ｍ          ：コインランドリマシン
Ｍ２        ：第１コインランドリマシン
Ｍ４        ：第３コインランドリマシン
Ｍ５        ：第４コインランドリマシン
ＭＡ        ：主コインランドリマシン
ＭＢ        ：隣接コインランドリマシン
Ｒ          ：右面
Ｕ          ：裏面
【図１】
2020039474.tif 000003
【図２】
2020039474.tif 000004